(57)【要約】【課題】  ユーザが地図情報を購入しようとする場合に、地図情報を試用できたり、地図情報の購入をキャンセルできたりするようにする。【解決手段】  地図情報配信システム１において、地図情報配信センター３は、地図情報と共に試用フラグやキャンセル可能フラグを車載装置２に配信し、車載装置２は、地図情報配信センター３から試用フラグやキャンセル可能フラグが受信されると、地図情報配信センター３から受信された地図情報を例えばアクセサリスイッチがオフされるまでは利用可能としたり、地図情報配信センター３から受信された地図情報の購入を例えばアクセサリスイッチがオフされるまではキャンセル可能としたりする。【選択図】  図１
2005114988.tif 000002
【特許請求の範囲】
【請求項１】
地図情報配信センターが地図情報を地図情報表示装置に配信するように構成された地図情報配信システムであって、
地図情報配信センターは、地図情報を地図情報表示装置に配信すると共に試用フラグを地図情報表示装置に配信し、
地図情報表示装置は、地図情報配信センターから地図情報が受信されると共に試用フラグが受信されると、その受信された地図情報を所定条件が成立するまでは利用可能とすると共に所定条件が成立した以後では利用不可能とすることを特徴とする地図情報配信システム。
【請求項２】
請求項１に記載した地図情報配信システムにおいて、
地図情報配信センターは、距離や時間などのパラメータ情報を地図情報表示装置に配信し、
地図情報表示装置は、地図情報配信センターから受信されたパラメータ情報に基づいて所定条件を設定することを特徴とする地図情報配信システム。
【請求項３】
地図情報配信センターが地図情報を地図情報表示装置に配信するように構成された地図情報配信システムであって、
地図情報配信センターは、地図情報を地図情報表示装置に配信すると共にキャンセル可能フラグを地図情報表示装置に配信し、
地図情報表示装置は、地図情報配信センターから地図情報が受信されると共にキャンセル可能フラグが受信されると、その受信された地図情報の購入を所定条件が成立するまではキャンセル可能とすると共に所定条件が成立した以後ではキャンセル不可能とすることを特徴とする地図情報配信システム。
【請求項４】
請求項３に記載した地図情報配信システムにおいて、
地図情報配信センターは、距離や時間などのパラメータ情報を地図情報表示装置に配信し、
地図情報表示装置は、地図情報配信センターから受信されたパラメータ情報に基づいて所定条件を設定することを特徴とする地図情報配信システム。
【請求項５】
請求項３または４に記載した地図情報配信システムにおいて、
地図情報表示装置は、所定条件が成立するよりも以前に、ユーザによる地図情報の購入のキャンセル意思が有る旨を示す操作が受付けられると、キャンセル意思有フラグを地図情報配信センターに送信し、
地図情報配信センターは、地図情報表示装置からキャンセル意思有フラグが受信されると、キャンセル実行フラグを地図情報表示装置に配信し、
地図情報表示装置は、地図情報配信センターからキャンセル実行フラグが受信されると、それよりも以前に地図情報配信センターから受信された地図情報を利用不可能とすることを特徴とする地図情報配信システム。
【請求項６】
請求項５に記載した地図情報配信システムにおいて、
地図情報表示装置は、地図情報配信センターからキャンセル実行フラグが受信された直後に、それよりも以前に地図情報配信センターから受信された地図情報を利用不可能とすることを特徴とする地図情報配信システム。
【請求項７】
請求項５に記載した地図情報配信システムにおいて、
地図情報表示装置は、地図情報配信センターからキャンセル実行フラグが受信された以後であって且つ所定条件が成立した以後に、それよりも以前に地図情報配信センターから受信された地図情報を利用不可能とすることを特徴とする地図情報配信システム。
【請求項８】
請求項７に記載した地図情報配信システムにおいて、
地図情報配信センターは、距離や時間などのパラメータ情報を地図情報表示装置に配信し、
地図情報表示装置は、地図情報配信センターから受信されたパラメータ情報に基づいて所定条件を設定することを特徴とする地図情報配信システム。
【請求項９】
請求項１ないし８のいずれかに記載した地図情報配信システム内で用いられることを特徴とする地図情報表示装置。
【請求項１０】
請求項１ないし８のいずれかに記載した地図情報配信システム内で用いられることを特徴とする地図情報配信センター。
【発明の詳細な説明】
【技術分野】
【０００１】
本発明は、地図情報配信センターが地図情報を地図情報表示装置に配信するように構成された地図情報配信システム、前記地図情報配信システム内で用いられる地図情報表示装置および地図情報配信センターに関する。
【背景技術】
【０００２】
従来より、地図情報配信センターが地図情報を例えば車載装置に配信するように構成された地図情報配信システムが供されている（例えば特許文献１,２参照）。
【特許文献１】特開２００２−３１２６０５号公報
【特許文献２】特開２００２−１０７１５０号公報
【発明の開示】
【発明が解決しようとする課題】
【０００３】
ところで、ユーザにおいては、地図情報を購入しようとする場合に、地図情報を試用して例えば自分の要求を満たすものであるか否かを判断し、地図情報が気に入れば、地図情報を購入したいという要望が発生したり、購入しようとする地図情報が気に入らなければ、地図情報の購入をキャンセルしたいという要望が発生したりすると考えられる。
【０００４】
本発明は、上記した事情に鑑みてなされたものであり、その目的は、ユーザが地図情報を購入しようとする場合に、地図情報を試用することができたり、地図情報の購入をキャンセルすることができたりすることにより、利便性を高めることができる地図情報配信システム、地図情報表示装置および地図情報配信センターを提供することにある。
【課題を解決するための手段】
【０００５】
請求項１に記載した発明によれば、地図情報配信センターは、地図情報を地図情報表示装置に配信すると共に試用フラグを地図情報表示装置に配信し、地図情報表示装置は、地図情報配信センターから地図情報が受信されると共に試用フラグが受信されると、その受信された地図情報を所定条件が成立するまでは利用可能とすると共に所定条件が成立した以後では利用不可能とする。これにより、地図情報表示装置が例えば車両に搭載可能な車載装置であれば、ユーザは、地図情報を購入しようとする場合に、アクセサリスイッチがオフされたか否か、走行が開始されたか否か、または、走行距離が指定走行距離以上になったか否かの判断が所定条件として設定されていれば、アクセサリスイッチがオフされるまで、走行が開始されるまで、または、走行距離が指定走行距離以上になるまでは、地図情報を試用することができ、利便性を高めることができる。
【０００６】
請求項２に記載した発明によれば、地図情報配信センターは、距離や時間などのパラメータ情報を地図情報表示装置に配信し、地図情報表示装置は、地図情報配信センターから受信されたパラメータ情報に基づいて所定条件を設定するので、地図情報配信センターから地図情報表示装置に配信される地図情報が広域であれば、地図情報配信センターが指定走行距離や指定走行時間を相対的に大きく設定して地図情報表示装置に配信し、一方、地図情報配信センターから地図情報表示装置に配信される地図情報が狭域であれば、地図情報配信センターが指定走行距離や指定走行時間を相対的に小さく設定して配信することにより、ユーザは、地図情報の内容（情報量）に応じた指定走行距離に達するまでは、または、地図情報の内容に応じた指定走行時間が経過するまでは、地図情報を試用することができる。
【０００７】
請求項３に記載した発明によれば、地図情報配信センターは、地図情報を地図情報表示装置に配信すると共にキャンセル可能フラグを地図情報表示装置に配信し、地図情報表示装置は、地図情報配信センターから地図情報が受信されると共にキャンセル可能フラグが受信されると、その受信された地図情報の購入を所定条件が成立するまではキャンセル可能とすると共に所定条件が成立した以後ではキャンセル不可能とする。これにより、地図情報表示装置が例えば車両に搭載可能な車載装置であれば、ユーザは、地図情報を購入しようとする場合に、例えばアクセサリスイッチがオフされたか否か、走行が開始されたか否か、または、走行距離が指定走行距離以上になったか否かの判断が所定条件として設定されていれば、アクセサリスイッチがオフされるまで、走行が開始されるまで、または、走行距離が指定走行距離以上になるまでは、地図情報の購入をキャンセルすることができ、利便性を高めることができる。
【０００８】
請求項４に記載した発明によれば、地図情報配信センターは、距離や時間などのパラメータ情報を地図情報表示装置に配信し、地図情報表示装置は、地図情報配信センターから受信されたパラメータ情報に基づいて所定条件を設定するので、地図情報配信センターから地図情報表示装置に配信される地図情報が広域であれば、地図情報配信センターが指定走行距離や指定走行時間を相対的に大きく設定して地図情報表示装置に配信し、一方、地図情報配信センターから地図情報表示装置に配信される地図情報が狭域であれば、地図情報配信センターが指定走行距離や指定走行時間を相対的に小さく設定して配信することにより、ユーザは、地図情報の内容に応じた指定走行距離に達するまでは、または、地図情報の内容に応じた指定走行時間が経過するまでは、地図情報の購入をキャンセルすることができる。
【０００９】
請求項５に記載した発明によれば、地図情報表示装置は、所定条件が成立するよりも以前に、ユーザによる地図情報の購入のキャンセル意思が有る旨を示す操作が受付けられると、キャンセル意思有フラグを地図情報配信センターに送信し、地図情報配信センターは、地図情報表示装置からキャンセル意思有フラグが受信されると、キャンセル実行フラグを地図情報表示装置に配信し、地図情報表示装置は、地図情報配信センターからキャンセル実行フラグが受信されると、それよりも以前に地図情報配信センターから受信された地図情報を利用不可能とする。これにより、ユーザは、地図情報の購入のキャンセル意思が有る旨を示す操作を行ってキャンセル意思有フラグを地図情報表示装置から地図情報配信センターに送信させることにより、地図情報の購入のキャンセル意思が有る旨を地図情報配信センターに伝達することができると共に、地図情報の利用を中止することができる。
【００１０】
請求項６に記載した発明によれば、地図情報表示装置は、地図情報配信センターからキャンセル実行フラグが受信された直後に、それよりも以前に地図情報配信センターから受信された地図情報を利用不可能とするので、ユーザは、地図情報の購入のキャンセル意思が有る旨を示す操作を行った直後に、地図情報の利用を速やかに中止することができる。
【００１１】
請求項７に記載した発明によれば、地図情報表示装置は、地図情報配信センターからキャンセル実行フラグが受信された以後であって且つ所定条件が成立した以後に、それよりも以前に地図情報配信センターから受信された地図情報を利用不可能とするので、上記した請求項６に記載したものとは異なって、ユーザは、地図情報の購入のキャンセル意思が有る旨を示す操作を行ったとしても、例えばアクセサリスイッチがオフされたか否か、走行が開始されたか否か、または、走行距離が指定走行距離以上になったか否かの判断が所定条件として設定されていれば、アクセサリスイッチがオフされるまで、走行が開始されるまで、または、走行距離が指定走行距離以上になるまでは、地図情報を利用することができる。
【００１２】
請求項８に記載した発明によれば、地図情報配信センターは、距離や時間などのパラメータ情報を地図情報表示装置に配信し、地図情報表示装置は、地図情報配信センターから受信されたパラメータ情報に基づいて所定条件を設定するので、地図情報配信センターから地図情報表示装置に配信される地図情報が広域であれば、地図情報配信センターが指定走行距離や指定走行時間を相対的に大きく設定して地図情報表示装置に配信し、一方、地図情報配信センターから地図情報表示装置に配信される地図情報が狭域であれば、地図情報配信センターが指定走行距離や指定走行時間を相対的に小さく設定して配信することにより、ユーザは、地図情報の購入のキャンセル意思が有る旨を示す操作を行ったとしても、地図情報の内容に応じた指定走行距離に達するまでは、または、地図情報の内容に応じた指定走行時間が経過するまでは、地図情報を利用することができる。
【発明を実施するための最良の形態】
【００１３】
以下、本発明の地図情報表示装置を車両に搭載可能な車載装置に適用した一実施形態について、図面を参照して説明する。まず、図１は、地図情報配信システムの全体構成を機能ブロック図として示している。地図情報配信システム１は、地図情報要求信号を地図情報配信センター３に送信する車載装置２と、地図情報を車載装置２に配信する地図情報配信センター３とを備えて構成されている。
【００１４】
車載装置２は、地図情報配信センター３から配信された地図情報を受信する通信機４と、通信機４に受信された地図情報を記憶する地図情報記憶装置５とを備えて構成されており、地図情報記憶装置５は、制御部６と、操作部７と、車両情報入力部８と、地図情報記憶部９とを備えて構成されている。制御部６は、ＣＰＵ、ＲＡＭ、ＲＯＭ、Ｉ／Ｏバスなどから構成され、地図情報記憶装置５の動作全般を制御すると共に、制御信号を通信機４やナビゲーション装置１０に出力して通信機４やナビゲーション装置１０の動作をも制御する。操作部７は、ユーザによる操作を受付けて操作信号を制御部６に出力する。車両情報入力部８は、アクセサリスイッチのオンオフ状態、走行状態、走行距離などの車両情報を入力して制御部６に出力する。
【００１５】
地図情報記憶部９は、通信機４から入力された地図情報を一時的に記憶する地図情報一時記憶部１１と、通信機４から入力された地図情報を正規に記憶する地図情報本記憶部１２とを備えて構成され、制御部６から入力される動作指示に基づいて記憶動作を実行する。ナビゲーション装置１０は、ナビゲーション装置１０の動作全般を制御する本体１３と、地図情報を表示すると共に地図情報に重ねて車両の現在位置を示す現在位置マークや経路案内のための経路などを表示する表示装置１４とを備えて構成されている。
【００１６】
地図情報配信センター３は、制御部１５と、通信部１６と、地図情報データベース１７と、配信履歴データベース１８とを備え、地図情報を配信する配信サーバとして機能するように構成されている。制御部１５は、ＣＰＵ、ＲＡＭ、ＲＯＭ、Ｉ／Ｏバスなどから構成され、地図情報配信センター３の動作全般を制御する。通信部１６は、車載装置２との間の基地局１９を通じた通信動作を制御する。地図情報データベース１７は、地図情報をデータベース化して記憶しており、配信履歴データベース１８は、地図情報の配信履歴をデータベース化して記憶している。
【００１７】
次に、上記した構成の作用について、図２ないし図１０を参照して説明する。ここでは、これ以降、
（１）ユーザが地図情報の購入意思が無い旨の操作を行った場合
（２）ユーザが地図情報の購入意思が有る旨の操作を行った場合
について順次説明する。また、ここでは、ユーザが操作可能な「購入意思無ボタン」、「購入意思有ボタン」および「キャンセル意思有ボタン」が操作部７に配設されている場合を例として説明するが、これらのボタンの機能がナビゲーション装置１０の表示装置１４に表示されるタッチキーで代用されても良い。
【００１８】
（１）ユーザが地図情報の購入意思が無い旨の操作を行った場合
最初に、「ユーザが地図情報の購入意思が無い旨の操作を行った場合」について、図２ないし図４を参照して説明する。尚、この場合は、本発明でいう請求項１および請求項２に対応する。
【００１９】
ユーザは、地図情報の購入意思が無い場合には、操作部７の「購入意思無ボタン」を操作する。車載装置２において、制御部６は、ユーザにより「購入意思無ボタン」が操作部７にて操作されると（ステップＳ１にて「ＹＥＳ」）、地図情報要求信号と共に購入意思無フラグを通信機４から地図情報配信センター３に送信させる。
【００２０】
地図情報配信センター３において、制御部１５は、車載装置２から送信された地図情報要求信号と共に購入意思無フラグが通信部１６に受信されると、購入意思が無い旨を認識し（ステップＴ１）、ユーザにより指定された地図情報を地図情報データベース１７から読出す。そして、制御部１５は、その読出された地図情報と共に当該地図情報が試用である旨を示す試用フラグを通信部１６から車載装置２に配信させ、配信履歴データベース１８における配信履歴を更新する。
【００２１】
車載装置２において、制御部６は、地図情報配信センター３から配信された地図情報と共に試用フラグが通信機４に受信されると、その受信された地図情報を地図情報一時記憶部１１に記憶させ（ステップＳ２）、地図情報を利用可能に設定する（ステップＳ３）。この場合、利用可能とは、例えば地図情報配信センター３から受信された地図情報を用いた経路案内などを正常に行えることであり、制御部６は、地図情報一時記憶部１１に記憶されている地図情報をナビゲーション装置１０に転送させて表示装置１４に表示させることにより、ナビゲーション装置１０での地図情報配信センター３から受信された地図情報を用いた経路案内などを可能にさせる。
【００２２】
そして、制御部６は、車両情報入力部８に入力される車両情報に基づいてＡＣＣスイッチがオフされたか否かを監視し（ステップＳ４）、ＡＣＣスイッチがオフされると（ステップＳ４にて「ＹＥＳ」）、地図情報を利用不可能に設定する（ステップＳ５）。この場合、利用不可能とは、例えば地図情報配信センター３から受信された地図情報を用いた経路案内などを正常に行えないことであり、制御部６は、ナビゲーション装置１０の表示装置１４に表示されている地図情報を強制的に消去させたり、現在位置の更新や経路の更新を強制的に停止させたりすることにより、ナビゲーション装置１０での地図情報配信センター３から受信された地図情報を用いた経路案内などを不可能にさせる。
【００２３】
以上に説明した処理により、ユーザは、「購入意思無ボタン」を操作することにより、
地図情報配信センター３から受信された地図情報をＡＣＣスイッチがオフされるまでは試用することができ、例えば地図情報配信センター３から受信された地図情報を用いた経路案内などをＡＣＣスイッチがオフされるまでは行わせることができる。
【００２４】
ところで、以上は、車載装置２において、地図情報配信センター３から受信された地図情報をＡＣＣスイッチがオフされるまでは利用可能とする構成を説明したが、制御部６が車両情報入力部８に入力される車両情報に基づいてイグニッションスイッチがオフされたか否かを監視することにより、地図情報配信センター３から受信された地図情報をイグニッションスイッチがオフされるまでは利用可能とする構成であっても良い。また、図３に示すように、車載装置２において、制御部６が車両情報入力部８に入力される車両情報に基づいて走行が開始されたか否かを監視することにより（ステップＳ１１）、地図情報配信センター３から受信された地図情報を走行が開始されるまでは利用可能とする構成であっても良い。
【００２５】
さらに、図４に示すように、地図情報配信センター３において、車載装置２に配信する地図情報の範囲（広域か狭域か）に応じて指定走行距離を設定し（ステップＴ２１）、地図情報および試用フラグと共に指定走行距離を車載装置２に配信し、車載装置２において、制御部６が車両情報入力部８に入力される車両情報に基づいて走行距離が指定走行距離以上になったか否かを監視することにより（ステップＳ２１）、地図情報配信センター３から受信された地図情報を走行距離が指定走行距離以上になるまでは利用可能とする構成であっても良い。また、距離に代えて時間をパラメータ情報としても良く、さらに、距離と時間との双方をパラメータ情報としても良い。
【００２６】
（２）ユーザが地図情報の購入意思が有る旨の操作を行った場合
次に、「ユーザが地図情報の購入意思が有る旨の操作を行った場合」について、図５ないし図１０を参照して説明する。尚、この場合は、本発明でいう請求項３ないし請求項８に対応する。
【００２７】
ユーザは、地図情報の購入意思が有る場合には、操作部７の「購入意思有ボタン」を操作する。車載装置２において、制御部６は、ユーザにより「購入意思有ボタン」が操作部７にて操作されると（ステップＳ３１にて「ＹＥＳ」）、地図情報要求信号と共に購入意思有フラグを通信機４から地図情報配信センター３に送信させる。
【００２８】
地図情報配信センター３において、制御部１５は、車載装置２から送信された地図情報要求信号と共に購入意思有フラグが通信部１６に受信されると、購入意思が有る旨を認識し（ステップＴ３１）、ユーザにより指定された地図情報を地図情報データベース１７から読出す。そして、制御部１５は、その読出された地図情報と共に当該地図情報の購入のキャンセルが可能である旨を示すキャンセル可能フラグを通信部１６から車載装置２に配信させ、配信履歴データベース１８における配信履歴を更新する。
【００２９】
車載装置２において、制御部６は、地図情報配信センター３から配信された地図情報と共にキャンセル可能フラグが通信機４に受信されると、その受信された地図情報を地図情報一時記憶部１１に記憶させ（ステップＳ３２）、地図情報を利用可能、且つ、地図情報の購入をキャンセル可能に設定する（ステップＳ３３）。
【００３０】
そして、制御部６は、ユーザにより「キャンセル意思有ボタン」が操作部７にて操作されたか否かを監視すると共に（ステップＳ３４）、車両情報入力部８に入力される車両情報に基づいてＡＣＣスイッチがオフされたか否かを監視する（ステップＳ３５）。ここで、制御部６は、「キャンセル意思有ボタン」が操作部７にて操作されるよりも以前にＡＣＣスイッチがオフされると（ステップＳ３５にて「ＹＥＳ」）、地図情報を利用可能、且つ、地図情報の購入をキャンセル不可能に設定し（ステップＳ３６）、地図情報一時記憶部１１に記憶されている地図情報を地図情報本記憶部１２へ転送させる（ステップＳ３７）。
【００３１】
これに対して、制御部６は、ＡＣＣスイッチがオフされるよりも以前に「キャンセル意思有ボタン」が操作部７にて操作されると（ステップＳ３４にて「ＹＥＳ」）、キャンセル意思有フラグを通信機４から地図情報配信センター３に送信させる。
【００３２】
地図情報配信センター３において、制御部１５は、車載装置２から送信されたキャンセル意思有フラグが通信部１６に受信されると、キャンセル意思が有る旨を認識し（ステップＴ３２）、キャンセル実行フラグを通信部１６から車載装置２に配信させる。尚、この場合、制御部１５は、配信履歴データベース１８における配信履歴にキャンセル履歴を付加して更新しても良い。
【００３３】
そして、車載装置２において、制御部６は、地図情報配信センター３から配信されたキャンセル実行フラグが通信機４に受信されると、地図情報を利用不可能に設定する（ステップＳ３８）。
【００３４】
以上に説明した処理により、ユーザは、「購入意思有ボタン」を操作することにより、
地図情報配信センター３から受信された地図情報の購入をＡＣＣスイッチがオフされるまではキャンセルすることができ、ＡＣＣスイッチがオフされるよりも以前に「キャンセル意思有ボタン」を操作することにより、地図情報の購入のキャンセル意思が有る旨を地図情報配信センター３に伝達することができる。
【００３５】
ところで、以上は、車載装置２において、地図情報配信センター３から受信された地図情報の購入をＡＣＣスイッチがオフされるまではキャンセル可能とする構成を説明したが、制御部６が車両情報入力部８に入力される車両情報に基づいてイグニッションスイッチがオフされたか否かを監視することにより、地図情報配信センター３から受信された地図情報の購入をイグニッションスイッチがオフされるまではキャンセル可能とする構成であっても良い。また、図６に示すように、車載装置２において、制御部６が車両情報入力部８に入力される車両情報に基づいて走行が開始されたか否かを監視することにより（ステップＳ４１）、地図情報配信センター３から受信された地図情報の購入を走行が開始されるまではキャンセル可能とする構成であっても良い。
【００３６】
また、図７に示すように、地図情報配信センター３において、車載装置２に配信する地図情報の範囲（広域か狭域か）に応じて指定走行距離を設定し（ステップＴ５１）、地図情報およびキャンセル可能フラグと共に指定走行距離を車載装置２に配信し、車載装置２において、制御部６が車両情報入力部８に入力される車両情報に基づいて走行距離が指定走行距離以上になったか否かを監視することにより（ステップＳ５１）、地図情報配信センター３から受信された地図情報の購入を走行距離が指定走行距離以上になるまではキャンセル可能とする構成であっても良い。また、距離に代えて時間をパラメータ情報としても良く、さらに、距離と時間との双方をパラメータ情報としても良い。
【００３７】
また、車載装置２において、地図情報配信センター３から配信されたキャンセル実行フラグが通信機４に受信された後に直ちに地図情報を利用不可能に設定するのではなく、図８〜図１０に示すように、ＡＣＣスイッチがオフされた後に（ステップＳ６１にて「ＹＥＳ」）、走行が開始された後に（ステップＳ７１にて「ＹＥＳ」）、走行距離が指定走行距離以上になった後に（ステップＳ８１にて「ＹＥＳ」）、地図情報を利用不可能に設定する構成であっても良い。
【００３８】
以上に説明したように本実施形態によれば、地図情報配信システム１において、ユーザにより「購入意思無ボタン」が操作されると、地図情報配信センター３が地図情報と共に試用フラグを車載装置２に配信し、車載装置２が地図情報配信センター３から受信された地図情報を例えばアクセサリスイッチがオフされるまで、走行が開始されるまで、または、走行距離が指定走行距離以上になるまでは利用可能とするように構成したので、ユーザは、アクセサリスイッチがオフされるまで、走行が開始されるまで、または、走行距離が指定走行距離以上になるまでは、地図情報を試用することができ、利便性を高めることができる。
【００３９】
また、地図情報配信システム１において、ユーザにより「購入意思有ボタン」が操作されると、地図情報配信センター３が地図情報と共にキャンセル可能フラグを車載装置２に配信し、車載装置２が地図情報配信センター３から受信された地図情報の購入を例えばアクセサリスイッチがオフされるまで、走行が開始されるまで、または、走行距離が指定走行距離以上になるまではキャンセル可能とするように構成したので、ユーザは、アクセサリスイッチがオフされるまで、走行が開始されるまで、または、走行距離が指定走行距離以上になるまでは、地図情報の購入をキャンセルすることができ、利便性を高めることができる。
【００４０】
本発明は、上記した実施形態にのみ限定されるものではなく、以下のように変形または拡張することができる。
地図情報表示装置は、車両に搭載可能な車載装置に限らず、人が携帯可能な携帯型端末であっても良い。
地図情報記憶装置がナビゲーション装置とは別体に配設される構成に限らず、地図情報記憶装置の機能がナビゲーション装置に組込まれた構成であっても良い。
【００４１】
地図情報記憶装置の操作部がナビゲーション装置の操作部で代用される構成であっても良い。
地図情報配信センターにおいて、車載装置との間のネットワークの影響により車載装置から受信されたフラグが購入意思無フラグであるのか購入意思有フラグであるのかが判別不可能である場合には、車載装置から購入意思無フラグが受信されたものとして以後の処理を実行する構成であっても良い。
【００４２】
車載装置において、購入意思無フラグを地図情報配信センターに送信したのにも拘らず、地図情報配信センターとの間のネットワークの影響により地図情報配信センターから試用フラグが受信されなかった場合であっても、地図情報配信センターから試用フラグが受信されたものとして以後の処理を実行する構成であっても良い。また、車載装置において、購入意思有フラグを地図情報配信センターに送信したのにも拘らず、地図情報配信センターとの間のネットワークの影響により地図情報配信センターからキャンセル可能フラグが受信されなかった場合には、地図情報配信センターから試用フラグが受信されたものとして以後の処理を実行する構成であっても良い。
【００４３】
車載装置において、キャンセル意思有フラグを地図情報配信センターに送信したのにも拘らず、地図情報配信センターとの間のネットワークの影響により地図情報配信センターからキャンセル実行フラグが受信されなかった場合であっても、地図情報配信センターからキャンセル実行フラグが受信されたものとして以後の処理を実行し、これ以降、次に地図情報配信センターとの間でリンクを確立したときに、キャンセル意思有フラグを地図情報配信センターに再送信する構成であっても良い。
【００４４】
所定条件として他の条件を適用しても良い。
【図面の簡単な説明】
【００４５】
【図１】本発明の一実施形態を概略的に示す機能ブロック図
【図２】シーケンス図
【図３】図２相当図
【図４】図２相当図
【図５】図２相当図
【図６】図２相当図
【図７】図２相当図
【図８】図２相当図
【図９】図２相当図
【図１０】図２相当図
【符号の説明】
【００４６】
図面中、１は地図情報配信システム、２は車載装置（地図情報表示装置）、３は地図情報配信センターである。
【図１】
2005114988.tif 000003
【図２】
2005114988.tif 000004
【図３】
2005114988.tif 000005
【図４】
2005114988.tif 000006
【図５】
2005114988.tif 000007
【図６】
2005114988.tif 000008
【図７】
2005114988.tif 000009
【図８】
2005114988.tif 000010
【図９】
2005114988.tif 000011
【図１０】
2005114988.tif 000012